(57)【要約】【課題】電子カメラ本体に装着する記録媒体を交換しても、交換前に装着されていた記録媒体の記録領域内に作成されていたフォルダー情報を有するフォルダーと同一のフォルダーを、交換後に装着した記録媒体の記録領域に容易に作成することが可能な電子カメラを提供する。【解決手段】記録媒体１１０を電子カメラ１００本体から取り外す直前の記録媒体１１０の記録領域にあるフォルダーにかかる全てのフォルダー情報を記憶するフォルダー情報記憶部１３９，１４０と、フォルダー情報記憶部１３９，１４０により記憶されたフォルダー情報と同一のフォルダー情報を有するフォルダーを新たに電子カメラ１００本体に装着した記録媒体１１０の記録領域に作成するフォルダー作成部１４１とを有する。【選択図】      図１
2004193861.tif 000002
【特許請求の範囲】
【請求項１】
撮像素子を用いて光学像を電気信号に変換して得られた画像データを、電子カメラ本体に対して着脱可能な記録媒体の記録領域内のフォルダーに記録する電子カメラにおいて、
前記記録媒体を前記電子カメラ本体から取り外す直前の該記録媒体の記録領域にあるフォルダーにかかる全てのフォルダー情報を記憶するフォルダー情報記憶手段と、
前記フォルダー情報記憶手段により記憶されたフォルダー情報と同一のフォルダー情報を有するフォルダーを新たに前記電子カメラ本体に装着した記録媒体の記録領域に作成するフォルダー作成手段とを有することを特徴とする電子カメラ。
【発明の詳細な説明】
【０００１】
【発明の属する技術分野】
本発明は、撮像素子を用いて光学像を電気信号に変換して得られた画像データを、電子カメラ本体に対して着脱可能な記録媒体の記録領域内のフォルダーに記録する電子カメラに関する。
【０００２】
【従来の技術】
一般に電子カメラにおいては、撮像素子を介して取得した画像は、デジタルの画像データとして電子カメラ本体内部のメモリや着脱可能なＩＣ（集積回路）カード等の記録媒体（リムーバブルメディア）に記録される。こうして記録された画像は、液晶モニタ等の表示装置に表示させることができると共に、パソコン（パーソナルコンピュータ）等の外部装置に転送して利用することが可能である。
【０００３】
従来の電子カメラでは、記録媒体の記録領域内に単一のフォルダーを作成し、このフォルダーに撮影画像データを順次格納していくようになっている。また、最初に作成した一つのフォルダーがデータの記録限界（Ｆｕｌｌ）に達した時点で、次のフォルダーが自動生成され、以後、そのフォルダーに撮影画像データが記録されていく電子カメラもある。
【０００４】
このような従来の電子カメラの記録方法では、撮影順に撮影画像データが蓄積されるに過ぎず、例えば、撮影場所を変えて多数の撮影を行う場合や、撮影日時・被写体を変えて撮影する場合等、記録メディアに蓄積された画像データを後で分類、整理するのが困難である。
【０００５】
ところで、特開平６−２３３２２５号公報では、撮影画像データを整理するため、撮影モード毎にフォルダーを作成して、その中に所定の撮影モードで撮影された撮影画像データのみを格納するようにしている。しかし、同公報に記載された方法では、撮影モード毎に別々のフォルダーを作成しているので、ユーザーが望むファイル分類を行えない場合があった。
【０００６】
これに対して、特開２００１−１６９２２２号公報では、複数のフォルダーが記録媒体内の記録領域に用意されており、フォルダー選択手段によって所望のフォルダーを選択することにより、撮影画像データの記録時に選択に係るフォルダーを実際に作成し、該フォルダーに撮影画像データが記録されるようにしている。そして、記録媒体の記録領域内に用意してある複数のフォルダーについて予めフォルダー名称を与えておくと、面倒なフォルダー名称の設定等を行うことなく、フォルダーを選ぶだけで、撮影画像データの保存先フォルダーを指定することが可能である。
【０００７】
一方、特開平１１−０１７９０８号公報では、撮影時にＧＰＳ（世界的位置決定システム）によって撮影場所や撮影日時を割り出し、これら撮影場所及び撮影日時と撮影者・被写体の種類等を撮影画像情報として撮影画像データに付加する。そして、該付加した撮影画像情報を判別し、予めフォルダーに付与されているフォルダー識別情報と照合することによって、撮影者の用途に応じて撮影画像データをフォルダー毎に自動的に分類することが可能である。
【０００８】
【発明が解決しようとする課題】
しかしながら、上記のような構成の従来の電子カメラにおいては、電子カメラ本体に装着している記録媒体を交換した場合、該記録媒体を交換する度に、フォルダー名称や撮影画像情報により画像をフォルダー毎に分類するために必要なフォルダー識別情報を各フォルダーに付与しなければならず、大変面倒であった。
【０００９】
また、電子カメラにより撮影された画像の画像データを該画像データが格納されているフォルダー毎にパソコン等の外部装置に転送する際、その転送先に同一のフォルダー名称を持つフォルダーが存在した場合、前記同一のフォルダー名称を持つフォルダーが、前記画像データが格納されているフォルダーに誤って上書きされてしまう可能性があった。
【００１０】
本発明は、上記従来技術の有する問題点を解消するためになされたもので、その目的とするところは、電子カメラ本体に装着する記録媒体を交換しても、交換前に電子カメラ本体に装着されていた記録媒体の記録領域内に作成されていたそれぞれが特有のフォルダー情報を有するフォルダーと同一のフォルダーを、交換後に電子カメラ本体に装着した記録媒体の記録領域に容易に作成することが可能な電子カメラを提供することである。
【００１１】
【課題を解決するための手段】
上記目的を達成するために、本発明の電子カメラは、撮像素子を用いて光学像を電気信号に変換して得られた画像データを、電子カメラ本体に対して着脱可能な記録媒体の記録領域内のフォルダーに記録する電子カメラにおいて、前記記録媒体を前記電子カメラ本体から取り外す直前の該記録媒体の記録領域にあるフォルダーにかかる全てのフォルダー情報を記憶するフォルダー情報記憶手段と、前記フォルダー情報記憶手段により記憶されたフォルダー情報と同一のフォルダー情報を有するフォルダーを新たに前記電子カメラ本体に装着した記録媒体の記録領域に作成するフォルダー作成手段とを有することを特徴とする。
【００１２】
【発明の実施の形態】
以下、本発明の一実施の形態を、図面に基づき説明する。
【００１３】
図１は、本実施の形態に係る電子カメラの内部構成を示すブロック図である。
【００１４】
同図において、１００は電子カメラで、その撮影光学系は、各種の光学レンズ、即ち、変倍光学系であるズームレンズ１０１群と、合焦光学系であるフォーカスレンズ１０２群と、撮影光学系により集光される被写界からの光束の入射光量を制限する光量制御手段である絞り部１０３とから成る。
【００１５】
１０４は被写界像を電気信号に変換する撮像素子、１０５は撮像回路で、撮像素子１０４によって生成された画像信号に対してホワイトバランス補正及びその他の所定の画像処理を施すものである。この撮像回路１０５から出力される画像信号（アナログ信号）は、Ａ／Ｄ変換回路１０６でデジタル信号に変換され、このデジタル信号化された画像信号やホワイトバランス補正値等の各種データは、ＤＲＡＭ（ダイナミックランダムアクセスメモリ）等から成るバッファメモリ等の内蔵メモリ１０７に一時的に記憶される。この内蔵メモリ１０７に一時的に記憶されたデジタル画像信号は、ＬＣＤ（液晶表示器）制御回路１０８により画像として表示するのに最適な形態のアナログ信号に変換され、液晶ディスプレイ装置（以下、画像表示ＬＣＤと記述する。）１０９により表示される。
【００１６】
１１０は画像信号を所定の形態の撮影画像データとして記録するメモリカード等から成る記録媒体で、電子カメラ１００本体に対して着脱自在なカード形状やスティック形状等から成る半導体メモリである。１１１は画像処理回路で、内蔵メモリ１０７に一時的に記憶されているデジタル画像信号を受けて、所定の画像処理を施すものである。この画像処理回路１１１からの出力信号は、圧縮伸長回路１１２によって、記録媒体１１０に記録するのに最適な形態の撮影画像データとなるように圧縮処理等を施される。また、圧縮伸長回路１１２は、記録媒体１１０に圧縮された形態で記録されている撮影画像データを読み出して、これに対して、各種の画像処理を施し得る形態の画像信号となるように伸長処理等も行う。
【００１７】
１１３はシステム制御回路で、電子カメラ１００全体の電気回路を制御するものである。１１４は測光センサー、１１５は測光回路で、測光センサー１１４からの出力をＡ／Ｄ変換すると共に、システム制御回路１１３からの指示により測光センサー１１４を制御するものである。１１６は測距センサー、１１７は測距回路で、測距センサー１１６を駆動する。１１８は測色センサーで、撮影した画像のホワイトバランスを調整するために外光色を測色するものである。この測色センサー１１８の出力は、ホワイトバランス用Ａ／Ｄ変換回路１１９によってデジタル信号化され、ホワイトバランス（ＷＢ）制御回路１２０により、ホワイトバランス補正値としてシステム制御回路１１３に送られる。このホワイトバランス補正値は、撮像回路１０５でのホワイトバランス補正に用いられる。
【００１８】
１２１はシャッターで、撮像素子１０４への露光時間を調整するものであり、システム制御回路１１３からの制御に応じてシャッター制御回路１２２により駆動される。１２３は照明手段であるストロボ装置で、撮影を行う際に必要に応じて所定の補助光束を照射するものであり、ストロボ制御回路１２４により駆動される。１２５は光学ファインダーで、撮影者は、この光学ファインダー１２５により被写界を観察することが可能である。１２６は変倍駆動手段であるズームモータで、ズームレンズ１０１群を撮影光学系の光軸に沿う方向へと移動させるものである。１２７は合焦駆動手段であるＡＦ（オートフォーカス）モータで、フォーカスレンズ１０２群を撮影光学系の光軸に沿う方向へと移動させるものである。１２８はアクチュエータで、絞り部１０３を駆動するものである。ズームモータ１２６及びＡＦモータ１２７、アクチュエータ１２８は、駆動回路１２９を介してシステム制御回路１１３によって制御される。
【００１９】
１３０は操作部で、システム制御回路１１３に対して動作指示を入力するためのものであり、スイッチ、ダイヤル、タッチパネル、視線検知によるポインティング、音声認識装置等を単数或いは複数組み合わせて構成される。１３１はレリーズスイッチ（ＳＷ）で、レリーズボタン（図示省略）の半押しでＡＦ（オートフォーカス）処理、ＡＥ（自動露出）処理、ＡＷＢ（オートホワイトバランス）処理等の動作開始を指示し、また、前記レリーズボタンの全押しで撮像素子１０４による撮影を指示する。１３２は電源スイッチ（ＳＷ）で、電子カメラ１００の電源のＯＮ／ＯＦＦを指示する。
【００２０】
１３３は電源制御部で、電池検出回路、ＤＣ−ＤＣコンバータ、通電するブロックを切り替えるスイッチ回路（いずれも図示省略）等から構成されており、電池の装着の有無、電池の種類、電池残量の検出を行い、その検出結果及びシステム制御回路１１３の指示に基づいて、前記ＤＣ−ＤＣコンバータを制御し、必要な電圧を必要な期間、記録媒体１１０を含む各部に供給する。１３４は電源で、アルカリ電池やリチウム電池等の一次電池、ＮｉＣｄ電池、ＮｉＭＨ電池等の二次電池、ＡＣアダプタ等から成る。
【００２１】
１３５はカードスロット開閉検知スイッチで、電子カメラ１００内に記録媒体１１０を格納しているカードスロット（図示せず）の開閉を検知するものである。１３６は記録媒体検知スイッチで、前記カードスロット内に記録媒体１１０が格納され、電子カメラ１００に記録媒体１１０が装着されている状態であることを検知するものである。
【００２２】
１３７は記録媒体１１０とのインターフェース（Ｉ／Ｆ）である。１３８はフォルダー情報読み込み部で、システム制御回路１１３により制御され、インターフェース１３７を介して記録媒体１１０の記録領域内にあるフォルダーのフォルダー情報を読み込む。フォルダー情報読み込み部１３８によって読み込まれたフォルダー情報は、フォルダー情報記憶部（１）１３９若しくはフォルダー情報記憶部（２）１４０に記憶される。フォルダー情報記憶部（１）１３９及びフォルダー情報記憶部（２）１４０は、新たにフォルダー情報を記憶する度に上書きして記憶されるメモリである。
【００２３】
１４１はフォルダー作成部で、電子カメラ１００に装着されている記録媒体１１０の記録領域にフォルダーを作成するものであり、システム制御回路１１３により制御される。フォルダー作成部１４１によって作成されたフォルダーには、システム制御回路１１３により制御されるフォルダー情報付与部１４２によって、フォルダー情報記憶部（２）１４０に記憶されているフォルダー情報がフォルダー一つに付き一つ付与される。
【００２４】
次に、本実施の形態に係る電子カメラの動作について、図２から図５を用いて説明する。
【００２５】
図２は、本実施の形態に係る電子カメラ１００に装着されている記録媒体１１０を交換する際の電子カメラの動作の流れを示すフローチャートである。
【００２６】
撮影者が記録媒体１１０の格納されているカードスロットを開け、カードスロット開閉検知スイッチ１３５がそれを検知すると（ステップＳ２００）、記録媒体検知スイッチ１３６は、電子カメラ１００本体に記録媒体１１０が装着されているか否かを判別する（ステップＳ２０１）。そして、記録媒体１１０が電子カメラ１００本体に装着されていると判別された場合は、カードスロット開閉検知スイッチ１３５は、カードスロットは閉じられたか否かを判別し（ステップＳ２０２）、カードスロットが閉じられていると判別された場合は、記録媒体１１０の交換が行われなかったので、そのまま何も処理せずに本処理動作を終了する。また、前記ステップＳ２０２において、カードスロットが開いたままであると判別された場合は、前記ステップＳ２０１へ戻る。
【００２７】
前記ステップＳ２０１において、記録媒体検知スイッチ１３６が記録媒体１１０の電子カメラ１００本体からの取り外しを検知した場合は、再び記録媒体１１０が電子カメラ１００本体に装着されるまで記録媒体検知スイッチ１３６は、検知動作を繰り返す（ステップＳ２０４）。そして、記録媒体検知スイッチ１３６が、電子カメラ１００本体に記録媒体１１０が装着されたことを検知した場合は、カードスロット開閉検知スイッチ１３５が、カードスロットが閉じられたか否かを判別する。そして、カードスロット開閉検知スイッチ１３５が、カードスロットが閉じられたことを検知したならば（ステップＳ２０５）、フォルダー情報記憶部（１）１３９に記憶されている全てのフォルダー情報をフォルダー情報記憶部（２）１４０に記憶させる（ステップＳ２０６）。そして、フォルダー情報読み込み部１３８により電子カメラ１００本体に装着された記録媒体１１０内の全てのフォルダー情報を読み込み（ステップＳ２０７）、フォルダー情報記憶部（１）１３９に記憶させる（ステップＳ２０８）。
【００２８】
画像表示ＬＣＤ１０９に交換する前の記録媒体１１０のフォルダー情報を持ったフォルダーを交換後に、電子カメラ１００本体に装着した記録媒体１１０内に作成するか否かを撮影者に訊くメッセージを表示し、それに対して撮影者は操作部１３０を用いて回答する（ステップＳ２０９）。そして、作成しないと回答した場合は、そのまま何も処理せずに本処理動作を終了する。また、前記ステップＳ２０９において、作成すると回答した場合は、システム制御回路１１３は、フォルダー情報記憶部（１）１３９とフォルダー情報記憶部（２）１４０に記憶されているフォルダー情報を照合する（ステップＳ２１０）。この時、前記ステップＳ２０６において、フォルダー情報記憶部（２）１４０には、記録媒体１１０を交換前の記録媒体１１０内の全フォルダー情報が記憶されている。
【００２９】
前記ステップＳ２１０において照合した結果、両者に同一のフォルダー名称を持つフォルダー情報が存在するか否かを判別する（図３のステップＳ２１１）。そして、存在すると判別された場合は、フォルダー作成部１４１が同一のフォルダー名称を持たないフォルダー情報の数だけ記録媒体１１０内にフォルダーを作成し（図３のステップＳ２１２）、フォルダー情報付与部１４２がフォルダー情報記憶部（２）１４０において前記同一のフォルダー名称を持つフォルダー情報以外のフォルダー情報を作成したフォルダーに付与する（ステップＳ２１３）。そして、前記同一名称を持つフォルダー情報を演算Ａ、即ち、図４のステップ４０１に入力する（ステップＳ２１４）。
【００３０】
図４は、フォルダー情報記憶部（１）１３９とフォルダー情報記憶部（２）１４０に記憶されているフォルダー情報が同一のフォルダー名称を有していた場合、フォルダー情報記憶部（２）１４０に記憶されている方のフォルダー名称に新たにナンバリングする動作の流れを示すフローチャートである。
【００３１】
図４において、まず、フォルダー情報記憶部（２）１４０に記憶されており、且つ前記同一名称を持つフォルダー情報とフォルダー情報記憶部（１）１３９に記憶されている同一名称を持つフォルダー情報とでは、どちらがフォルダー名称中のナンバーが大きいかを判別する（ステップＳ４０１）。そして、大きい方のナンバーに「１」を足し（ステップＳ４０２）、足されたナンバーをフォルダー名称に新たにナンバリングしたフォルダー情報を、フォルダー情報記憶部（２）１４０に記憶させる（ステップＳ４０３）。例えば、フォルダー情報記憶部（１）１３９に記憶されていたフォルダー情報のフォルダー名称が「人物１」で、フォルダー情報記憶部（２）１４０に記憶されていたフォルダー情報のフォルダー名称が「人物２」だったとすると、フォルダー情報記憶部（２）１４０に記憶されている方のフォルダー情報は、フォルダー名称中のナンバーの大きい方である「２」に１が足された「人物３」というフォルダー名称になる。
【００３２】
再び、図２に戻り、前記同一名称を持つフォルダー情報の数だけ記録媒体１１０内にフォルダーを作成し（図３のステップＳ２１５）、フォルダー情報付与部１４２が作成したフォルダーに、図４のステップＳ４０３において、フォルダー情報記憶部（２）１４０に記憶させたフォルダー情報を付与する（図３のステップＳ２１６）。
【００３３】
一方、前記図３のステップＳ２１１において、フォルダー情報記憶部（１）１３９とフォルダー情報記憶部（２）１４０に同一のフォルダー名称を持つフォルダー情報が存在しないと判別された場合は、フォルダー作成部１４１は、フォルダー情報記憶部（２）１４０に記憶されているフォルダー情報の数だけ記録媒体１１０内にフォルダーを作成し（図３のステップＳ２１９）、フォルダー情報付与部１４２が作成したフォルダーにフォルダー情報記憶部（２）１４０に記憶されているフォルダー情報を付与する（図３のステップＳ２２０）。
【００３４】
このようにして、フォルダー作成及びフォルダー情報付与が全て終了すると、フォルダー情報読み込み部１３８は、記録媒体１１０内のフォルダー情報を全て読み込み（図３のステップＳ２１７）、フォルダー情報記憶部（１）１３９に記憶させ（図３のステップＳ２１８）、その後、図６のステップＳ６０６へ進む。
【００３５】
次に、電子カメラ１００の電源を切る場合の動作について、図５を用いて説明する。
【００３６】
図５は、電子カメラ１００の電源を切る際に、フォルダー情報に関する電子カメラ１００の動作の流れを示すフローチャートである。
【００３７】
撮影者により電源スイッチ１３２がＯＮからＯＦＦにされると（ステップＳ５００）、システム制御回路１１３は、フォルダー情報記憶部（１）１３９に記憶されている全てのフォルダー情報をフォルダー情報記憶部（２）１４０に記憶させる（ステップＳ５０１）。その後電源制御部６０を制御し、その後、電源を切る（ステップＳ５０２）。
【００３８】
続いて、電子カメラ１００使用時のフォルダー情報動作について、図６を用いて説明する。
【００３９】
図６は、電子カメラ１００使用時のフォルダー情報に関する電子カメラ１００の動作の流れを示すフローチャートである。
【００４０】
撮影者により電源スイッチ１３２がＯＦＦからＯＮにされ、電子カメラ１００が起動すると（ステップＳ６００）、記録媒体検知スイッチ１３６が、電子カメラ１００に記録媒体１１０が装着されているか否かを判別する（ステップＳ６０１）。そして、電子カメラ１００に記録媒体１１０が装着されていないと判別された場合は、装着されるまで判別動作を行う。そして、電子カメラ１００に記録媒体１１０が装着されたと判別された場合は、システム制御回路１１３は記録媒体１１０内のフォルダーに付与されている全てのフォルダー情報をフォルダー情報読み込み部１３８に読み込ませ（ステップＳ６０２）、フォルダー情報記憶部（１）１３９に記憶させる（ステップＳ６０３）。続いて、システム制御回路１１３は、フォルダー情報記憶部（１）１３９及びフォルダー情報記憶部（２）１４０とに記憶されているフォルダー情報を照合し（ステップＳ６０４）、全てのフォルダー情報が一致しているか否か、記憶されているフォルダー情報の個数も同一であるか否かを判別する（ステップＳ６０５）。
【００４１】
ここで、図５の電子カメラ１００の電源をＯＦＦにする場合のフローチャートの動作により、フォルダー情報記憶部（２）１４０には、電源を切る直前に装着されていた記録媒体１１０内のフォルダーに付与されている全てのフォルダー情報が記憶されている。そのため、フォルダー情報記憶部（１）１３９に記憶されているフォルダー情報とフォルダー情報記憶部（２）１４０に記憶されているフォルダー情報とを照合することにより、電源がＯＦＦされていた間に記録媒体１１０が交換されたか否かが分かる。この時、フォルダー情報記憶部（１）１３９とフォルダー情報記憶部（２）１４０に記憶されているフォルダー情報の個数及び内容が一致しなかった場合は、前記図２のステップＳ２０９へ進む。また、全て一致していた場合は、常にフォルダー情報が変更されたか否かを判別し（ステップＳ６０６）、変更された場合は、フォルダー情報読み込み部１３８が記録媒体１１０内のフォルダー情報を全て読み込み（ステップＳ６０７）、フォルダー情報記憶部（１）１３９に記憶させ（ステップＳ６０８）、その後、前記ステップＳ６０６へ戻る。こうすることにより、常に記録媒体１１０内の最新のフォルダー情報をフォルダー情報記憶部（１）１３９に記憶させておくことが可能である。
【００４２】
以上説明したように、本実施の形態では、記録媒体１１０を交換しても、交換前に装着されていた記録媒体１１０の記録領域に作成されて、それぞれが固有のフォルダー情報を有する単独若しくは複数のフォルダーと同一のフォルダーを交換後に装着した記録媒体１１０の記録領域に容易に作成することが可能である。
【００４３】
また、本実施の形態に係る電子カメラによれば、電子カメラ本体に装着する記録媒体の交換時に、交換前に前記記録媒体の記録領域に作成されていた、それぞれが特有のフォルダー情報を有する単独若しくは複数のフォルダーと同一のフォルダーを、交換後に装着した記録媒体の記録領域に作成する際、前記交換後に装着した記録媒体が、交換前に装着されていた記録媒体と同一のフォルダー情報を有するフォルダーを保持していた場合、該フォルダーを前記交換後に装着した記録媒体に作成せず、同一のフォルダー情報を有するフォルダーが一つの記録媒体内に複数存在することを防止することが可能である。
【００４４】
更に、本実施の形態に係る電子カメラによれば、フォルダーを作成する場合に、フォルダー名称をナンバリングによって差をつけているので、撮影した画像の画像データを該画像データが格納されているフォルダーごと記録媒体からパソコン等の外部装置に転送する際、その転送先に以前前記フォルダーと略同一のフォルダー情報を持つフォルダーを転送していても、フォルダー名称が異なるため、スムーズに転送作業を行うことが可能である。
【００４５】
尚、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００４６】
この場合、記憶媒体から読み出されたプログラムコード自体が上述した実施の形態の機能を実現することになり、そのプログラムコードを記憶した記憶媒体は本発明を構成することになる。
【００４７】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００４８】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００４９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００５０】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００５１】
本発明の実施態様の例を以下に列挙する。
【００５２】
［実施態様１］  撮像素子を用いて光学像を電気信号に変換して得られた画像データを、電子カメラ本体に対して着脱可能な記録媒体の記録領域内のフォルダーに記録する電子カメラにおいて、
前記記録媒体を前記電子カメラ本体から取り外す直前の該記録媒体の記録領域にあるフォルダーにかかる全てのフォルダー情報を記憶するフォルダー情報記憶手段と、
前記フォルダー情報記憶手段により記憶されたフォルダー情報と同一のフォルダー情報を有するフォルダーを新たに前記電子カメラ本体に装着した記録媒体の記録領域に作成するフォルダー作成手段とを有することを特徴とする電子カメラ。
【００５３】
［実施態様２］  前記フォルダー作成手段は、新たに前記電子カメラ本体に装着された記録媒体の記録領域に、同一のフォルダー情報を有するフォルダーが存在しないフォルダーのみを作成することを特徴とする実施態様１に記載の電子カメラ。
【００５４】
［実施態様３］  前記フォルダー作成手段により作成されたフォルダーのフォルダー名称を、前記フォルダー記憶手段により記憶されたフォルダーのフォルダー名称と略同一とし、ナンバリングによる差をつけるものとすることを特徴とする実施態様１または２に記載の電子カメラ。
【００５５】
［実施態様４］  撮像素子を用いて光学像を電気信号に変換して得られた画像データを、電子カメラ本体に対して着脱可能な記録媒体の記録領域内のフォルダーに記録する電子カメラを制御する制御方法において、
前記記録媒体を前記電子カメラ本体から取り外す直前の該記録媒体の記録領域にあるフォルダーにかかる全てのフォルダー情報を記憶するフォルダー情報記憶工程と、
前記フォルダー情報記憶工程により記憶されたフォルダー情報と同一のフォルダー情報を有するフォルダーを新たに前記電子カメラ本体に装着した記録媒体の記録領域に作成するフォルダー作成工程とを有することを特徴とする電子カメラの制御方法。
【００５６】
［実施態様５］  前記フォルダー作成工程は、新たに前記電子カメラ本体に装着された記録媒体の記録領域に、同一のフォルダー情報を有するフォルダーが存在しないフォルダーのみを作成することを特徴とする実施態様４に記載の電子カメラの制御方法。
【００５７】
［実施態様６］  前記フォルダー作成工程により作成されたフォルダーのフォルダー名称を、前記フォルダー記憶工程により記憶されたフォルダーのフォルダー名称と略同一とし、ナンバリングによる差をつけるものとすることを特徴とする実施態様４または５に記載の電子カメラの制御方法。
【００５８】
［実施態様７］  撮像素子を用いて光学像を電気信号に変換して得られた画像データを、電子カメラ本体に対して着脱可能な記録媒体の記録領域内のフォルダーに記録する電子カメラを制御するコンピュータ読み取り可能な制御プログラムであって、
前記記録媒体を前記電子カメラ本体から取り外す直前の該記録媒体の記録領域にあるフォルダーにかかる全てのフォルダー情報を記憶するフォルダー情報記憶工程と、前記フォルダー情報記憶工程により記憶されたフォルダー情報と同一のフォルダー情報を有するフォルダーを新たに前記電子カメラ本体に装着した記録媒体の記録領域に作成するフォルダー作成工程とをコンピュータに実行させるためのプログラムコードから成ることを特徴とする電子カメラの制御プログラム。
【００５９】
［実施態様８］  実施態様７に記載の制御プログラムを格納したことを特徴とする記憶媒体。
【００６０】
【発明の効果】
以上説明したように、本発明の電子カメラによれば、電子カメラ本体に装着する記録媒体を交換しても、交換前に装着されていた記録媒体の記録領域に作成されていた、それぞれが特有のフォルダー情報を有する単独若しくは複数のフォルダーと同一のフォルダーを、交換後に装着した記録媒体の記録領域に容易に作成することが可能である。
【図面の簡単な説明】
【図１】本発明の一実施の形態に係る電子カメラの内部構成を示すブロック図である。
【図２】本発明の一実施の形態に係る電子カメラに装着している記録媒体を交換する際の電子カメラの動作の流れを示すフローチャートである。
【図３】本発明の一実施の形態に係る電子カメラにおけるフォルダー情報記憶部（１）とフォルダー情報記憶部（２）に記憶されているフォルダー情報が同一のフォルダー名称を有していた場合、フォルダー情報記憶部（２）に記憶されている方のフォルダー名称に新たにナンバリングする動作の流れを示すフローチャートである。
【図４】本発明の一実施の形態に係る電子カメラの電源を切る際、フォルダー情報に関する電子カメラの動作の流れを示すフローチャートである。
【図５】本発明の一実施の形態に係る電子カメラ使用時のフォルダー情報に関する電子カメラの動作の流れを示すフローチャートである。
【図６】本発明の一実施の形態に係る電子カメラ使用時のフォルダー情報に関する電子カメラの動作の流れを示すフローチャートである。
【符号の説明】
１００    電子カメラ
１０４    撮像素子
１１０    記録媒体
１１３    システム制御回路
１３０    操作部
１３２    電源スイッチ
１３５    カードスロット開閉検知スイッチ（ＳＷ）
１３６    記録媒体検知スイッチ（ＳＷ）
１３８    フォルダー情報読み込み部
１３９    フォルダー情報記憶部（１）
１４０    フォルダー情報記憶部（２）
１４１    フォルダー作成部
１４２    フォルダー情報付与部
【図１】
2004193861.tif 000003
【図２】
2004193861.tif 000004
【図３】
2004193861.tif 000005
【図４】
2004193861.tif 000006
【図５】
2004193861.tif 000007
【図６】
2004193861.tif 000008